(57)【特許請求の範囲】
【請求項１】
本体１０内に、循環吸込口２４より浴室１内の空気を吸込んでヒータ３６を通して循環吐出口２５より浴室１内及び補助吐出口３３に吹き出しする循環送風機１１を設け、
前記本体１０内に、排気吸込口２６より浴室１内の空気を吸込み、かつ複数の補助吸込口より本体外部の空気を吹込み主排気口４２に吐出する排気送風機１２を設け、
前記循環吐出口２５と補助吐出口３３の一方を閉じ、他方を開く第１の開閉手段と、前記排気吸込口２６と複数の補助吸込口を開閉する第２の開閉手段を設け、
前記補助吐出口３３を補助排出ダクト１４で洗面所２に開口し、前記１つの補助吸込口を補助吸込ダクトで洗面所２に開口し、他の１つの補助吸込口を補助吸込ダクトで便所３に開口したことを特徴とする浴室換気乾燥機。
【発明の詳細な説明】
【０００１】
【発明の属する技術分野】
本発明は、浴室内を換気したり、乾燥したりなどする浴室換気乾燥機に関する。
【０００２】
【従来の技術】
浴室換気乾燥機としては種々のものが知られている。
例えば、特開昭４９−４３２５４号公報に示すように、吸込口と吹出口と排気口を有する本体に送風機とヒータとダンパーを取付けた浴室換気乾燥機が知られている。
【０００３】
この浴室換気乾燥機であれば、ダンパーで吹出口を閉じた状態で送風機を駆動することにより浴室内の空気が換気口より外部に排出されるので浴室内を換気できる。ダンパーで吹出口を開いた状態で送風機を駆動することにより浴室内の空気を吹出口と換気口に分流して排出されるので浴室内に涼風を送ることができる。前述の状態でヒータに通電すれば浴室内を乾燥して浴室を乾燥室として利用できる。
【０００４】
また、実開平３−３４４９７号公報に示すように、吸込口と吹出口と換気口を有する本体にファンモ−ータで回転される送風ファンと、ヒータと、ダンパーを設けたものが知られている。
【０００５】
この浴室換気乾燥機であれば、ダンパーで吹出口を閉じて換気口を開いた状態でファンモータにより送風ファンを回転すれば浴室内の空気を外部に排出して浴室内を換気できる。ダンパーで吹出口を開いて換気口を閉じた状態でヒータに通電してファンモータにより送風ファンを回転すれば浴室内の空気を加熱して再び浴室に送って浴室内を暖房できる。
【０００６】
また、実公平７−２２２３１号公報に示すように、吸込口と吹出口と換気口を有する本体に、送風用ファンと換気用ファンとヒータを設けた浴室換気乾燥機が知られている。
【０００７】
この浴室換気乾燥機は送風用ファンにより浴室内の空気を循環できるし、換気用ファンにより浴室内の空気の一部を外部に排出できるので、送風用ファン、換気用ファンの運転・停止とヒータの通電の有無の組み合せより浴室内の乾燥、浴室内の暖房、浴室内の換気、浴室内への涼風送り込みの４つの機能を有する。
【０００８】
【発明が解決しようとする課題】
浴室を使用するのは入浴時や衣類乾燥時などであり、浴室を使用する時間は一日の内に限られた短かい時間であるから、浴室換気乾燥機を使用する時間も一日の内に限られた短かい時間であり、残りの時間には浴室換気乾燥機は未使用である。
このように、換気機能、暖房機能などを有する高価な浴室換気乾燥機を長い時間未使用とすることは不経済である。
【０００９】
一方、住宅では、特にマンションでは浴室、洗面所、便所はサニタリーゾーンとして近接してレイアウトされる。これらの換気はそれぞれ独立で排気扇（換気扇）を設置し、各換気扇に接続したダクトを建物外部に開口して設置すれば良いが、マンションでは建築構造の鉄骨（梁：ハリ）を貫通してダクトを通す必要があり、これが２〜３本と多くなるとハリ強度を下げるばかりでなく、建築及び換気のための工事費も高額となる。
【００１０】
そこで、本発明は前述の課題を解決できるようにした浴室換気乾燥機を提供することを目的とする。
【００１１】
【課題を解決するための手段】
本発明は、本体１０内に、循環吸込口２４より浴室１内の空気を吸込んでヒータ３６を通して循環吐出口２５より浴室１内及び補助吐出口３３に吹き出しする循環送風機１１を設け、
前記本体１０内に、排気吸込口２６より浴室１内の空気を吸込み、かつ複数の補助吸込口より本体外部の空気を吹込み主排気口４２に吐出する排気送風機１２を設け、
前記循環吐出口２５と補助吐出口３３の一方を閉じ、他方を開く第１の開閉手段と、前記排気吸込口２６と複数の補助吸込口の１つを開閉する第２の開閉手段を設け、
前記補助吐出口３３を補助排出ダクト１４で洗面所２に開口し、前記１つの補助吸込口を補助吸込ダクトで洗面所２に開口し、他の１つの補助吸込口を補助吸込ダクトで便所３に開口したことを特徴とする浴室換気乾燥機である。
【００１２】
【作用】
本発明によれば、排気吸込口２６を開いて排気送風機１２を駆動することで、浴室１内の空気を吸込んで主排気口４２より外部に排出できるから、浴室１内を換気できる。
循環吐出口２５を開いて循環送風機１１を駆動すると共に、ヒータ３６を発熱することで、浴室１内の空気を吸込んでヒータ３６で加温して浴室１内に吹き出しできるから、浴室１内を暖房できる。
排気吸込口２６を開いて排気送風機１２を駆動することで、浴室１内の空気を吸込んで主排気口４２より外部に排出し、循環吐出口２５を開いて循環送風機１１を駆動すると共に、ヒータ３６を発熱することで、浴室１内の空気を吸込んでヒータ３６で加温して浴室１内に吹き出すことにより、浴室内を加温しながら浴室内の高湿度となって空気を外部に排出して浴室内を効率良く乾燥できる。
排気吸込口２６を開いて排気送風機１２を駆動することで、浴室１内の空気を吸込んで主排気口４２より外部に排出し、循環吐出口２５を開いて循環送風機１１を駆動すると共に、ヒータ３６を発熱させないことで、浴室１内の空気を吸込んで浴室１内に吹き出すことで、換気をしながら浴室内に空気を循環して浴室内に涼風を送り込むことができ、夏季の浴室内を浴室内を浴室内使用者にとって快適な状態とすることができる。
１つの補助吸込口を開いて排気送風機１２を駆動することで浴室１外の空気を吸込んで外部に排出できるし、補助吐出口３３を開いて循環送風機１１を駆動すると共に、ヒータ３６を発熱させることで浴室１内の空気を吸込んでヒータ３６で加温して浴室外に吹き出しできる。
また、洗面所２、便所３を換気できるし、洗面所２を暖房できる。
【００１３】
【発明の実施の形態】
図１に示すように、建家内部に浴室１と洗面所２と便所３が隣接して設けてあり、人は洗面所２の入口４から洗面所２に入り、浴室入口５のドア６を開閉して浴室１内に出入りすると共に、便所入口７のドア８を開閉して便所３内に出入りする。
【００１４】
前記浴室１の天井に浴室換気乾燥機９が取付けてある。この浴室換気乾燥機９は本体１０内に循環送風機１１と排気送風機１２を設けると共に、その本体１０に主排出ダクト１３、補助排出ダクト１４、第１補助吸込ダクト１５、第２補助吸込ダクト１６がそれぞれ接続している。
【００１５】
前記主排出ダクト１３は建家外部に開口し、補助排出ダクト１４は洗面所２に開口した温風吹出口１７に連通し、第１補助吸込ダクト１５は洗面所２に開口した排気口１８に連通し、第２補助吸込ダクト１６は便所３に開口した排気口１９に連通している。
なお、前記各ダクトは天井裏に配設されているし、温風吹出口１７、排気口１８，１９は天井に形成してある。
【００１６】
前記本体１０は図２と図３に示すように、下面を開口した箱体２０と、この箱体２０の開口縁フランジ２１に連結したほぼ皿状のグリル２２とを備え、そのグリル２２の下横板２３には循環吸込口２４、循環吐出口２５、排気吸込口２６がそれぞれ形成してあり、これらは浴室１内に開口している。
【００１７】
前記箱体２０内には断面形状がほぼＬ字状となった仕切板２７が取付けてあり、この仕切板２７によって箱体２０内に密閉された排気用室２８を形成し、かつ箱体２０とグリル２２とによって密閉された循環用室２９を形成している。
【００１８】
前記箱体２０内における循環用室２９を形成する部分にはファンケース３０が取付けてあり、このファンケース３０には循環吸込口２４と対向した吸込口３１と浴室側ダクト３２が設けてある。この浴室側ダクト３２は箱体２０とグリル２２を連結することで循環吐出口２５と連続し、箱体２０にはファンケース３０に開口した補助吐出口３３が形成してあり、その補助吐出口３３の開口縁に筒状の継手３４が固設してある。この継手３４に前記補助排出ダクト１４が接続される。
【００１９】
図４と図５に示すように、前記ファンケース３０内にはシロッコファンなどの送風ファン３５とヒータ３６が設けてあり、その送風ファン３５は循環用モータ３７で回転駆動されて前述の循環送風機１１を構成している。
【００２０】
前記浴室側ダクト３２にはダンパー３８が第１モータ３９で開閉自在に設けてある。前記継手３４には補助ダンパー４０が第２モータ４１で開閉自在に設けてある。
【００２１】
前記箱体２０の排気用室２８を形成する部分には図２に示すように、主排気口４２と第１補助吸込口４３と第２補助吸込口４４がそれぞれ形成され、その主排気口４２には主継手４５が取付けてあり、第１・第２補助吸込口４３，４４には第１・第２補助継手４６，４７がそれぞれ取付けてある。
【００２２】
図１に示すように、前記主継手４５に主排出ダクト１３が接続し、第１補助継手４６に第１補助吸込ダクト１５が接続し、第２補助継手４７に第２補助吸込ダクト１６が接続してあり、継手３４に補助排出ダクト１４が接続してある。
【００２３】
図４と図６に示すように、前記箱体２０の排気用室２８内にはファンケース５０が、前記主排気口４２に開口して取付けてあり、このファンケース５０には吸込口５１が形成してある。この吸込口５１が前記排気用室２８を経て第１・第２補助吸込口４３，４４と連通している。
前記ファンケース５０内にはシロッコファンなどの送風ファン５２が設けてあり、その送風ファン５２が排気用モータ５３で回転駆動されて前記排気送風機１２を構成している。
【００２４】
図３に示すように、前記仕切板２７には浴室側吸込ダクト５４が取付けてあり、この浴室側吸込ダクト５４は図６に示すように排気吸込口２６と連続している。
【００２５】
前記第１補助継手４６、第２補助継手４７、浴室側吸込ダクト５４には第１、第２、第３シャッター５５，５６，５７がそれぞれ設けてあり、第１シャッター５５は第３モータ５８で開閉され、第２シャッター５６は第４モータ５９で開閉され、第３シャッター５７は第５モータ６０で開閉される。
【００２６】
前記洗面所２０の出入口４近くには図１に示すように操作盤７０が取付けてある。この操作盤７０は図７に示すように浴室換気スイッチ７１、浴室暖房スイッチ７２、浴室乾燥スイッチ７３、涼風スイッチ７４、洗面所換気スイッチ７５、洗面所暖房スイッチ７６、便所換気スイッチ７７を備え、各スイッチをＯＮ，ＯＦＦすることで前記モータ、ヒータに通電制御して下記の表に示すようになる。
【００２７】
【表１】
0003757366.tif 000002
【００２８】
なお、ヒータ３６がＯＮとなる運転モードは浴室暖房スイッチ７２、浴室乾燥スイッチ７３、洗面所暖房スイッチ７６をＯＮした３モードのいずれかであり、このモードの場合には最後にＯＮしたスイッチの運転モードとなる。
【００２９】
また、浴室換気と洗面所換気と便所換気は同時に可能としてある。
【００３０】
なお、排気送風機１２の排気用モータ５３は強、弱に駆動されるようにしてあり、浴室換気の場合及び複数箇所を換気する場合には強、他の場合には弱として駆動される。
【００３１】
次に各運転モードを具体的に説明する。
（浴室換気モード）
浴室換気スイッチ７１をＯＮすることで排気送風機１２が駆動し、第３シャッタ５７が開で、第１、第２シャッタ５５，５６が閉となる。
【００３２】
これにより、排気吸込口２６から浴室１内の空気を吸込んで主排気口４２、主排出ダクト１３を経て建物外部に排出して浴室１内を換気する。
【００３３】
（浴室暖房モード）
浴室暖房スイッチ７２をＯＮすることで循環送風機１１が駆動し、ヒータ３６に通電して発熱し、ダンパー３８が開で、補助ダンパー４０が閉となる。
【００３４】
これにより、循環吸込口２４より浴室１内の空気を吸込み、ヒータ３６で加温して循環吐出口２５より浴室１内に吹き出して浴室１内を暖房する。
【００３５】
（浴室乾燥モード）
浴室乾燥スイッチ７３をＯＮすることで排気送風機１２と循環送風機１１がそれぞれ駆動し、ヒータ３６に通電されて発熱し、第３シャッタ５７とダンパー３８が開で、第１、第２シャッタ５５，５６、補助ダンパー４０が閉となる。
【００３６】
これにより前述の暖房モードと同様に浴室１内の空気をヒータ３６で加温して浴室１内に吹き出すと同時に前述の換気モードと同様に浴室１内の空気を建物外部に排気するので、浴室１内を加温しながら浴室内の高湿度となった空気を外部に排出して浴室内を効率良く乾燥できる。
【００３７】
（涼風モード）
涼風スイッチ７４をＯＮすることで排気送風機１２と循環送風機１１がそれぞれ駆動し、第３シャッタ５７とダンパー３８が開で、第１、第２シャッタ５５，５６、補助ダンパー４０が閉となる。ヒータ３６には通電されない。
【００３８】
これにより浴室１内の空気を浴室１内に吹き出すと同時に前述の換気モードと同様に浴室１内の空気を建物外部に排気するので、換気しながら浴室内の空気を循環して浴室内に涼風を送り込むことができ、夏季の浴室内を浴室使用者にとって快適な状態とすることができる。
【００３９】
（洗面所換気モード）
洗面所換気スイッチ７５をＯＮすることで排気送風機１２が駆動し、第１シャッタ５５が開となり、第２、第３シャッタ５６，５７が閉となる。
【００４０】
これにより、洗面所２内の空気を排気口１８、第１補助吸込ダクト１５、第１補助吸込口４３を経て吸込んで主排出ダクト１３より建物外部に排気するので、洗面所２内を換気できる。
【００４１】
（洗面所暖房モード）
洗面所暖房スイッチ７６をＯＮすることで循環送風機１１が駆動し、補助ダンパー４０が開となり、ヒータ３６に通電されてダンパー３８が閉となる。
【００４２】
これにより、浴室１内の空気を循環吸込口２４から吸込んでヒータ３６で加温し、補助排出ダクト１４を経て温風吹出口１７より洗面所２内に吹き出すので、洗面所２内を暖房できる。
【００４３】
（便所換気モード）
便所換気スイッチ７７をＯＮすることで排気送風機１２が駆動し、第２シャッタ５６が開となり、他のシャッタ、ダンパーが閉となり、ヒータ３６には通電されない。
【００４４】
これにより、便所３内の空気を排気口１９、第２補助吸込ダクト１６、第２補助吸込口４４を経て吸い込み、主排出ダクト１３より建物外部に排気するので、便所３内を換気できる。
【００４５】
図８は本発明の第２実施例を示し、浴室側ダクト３２と補助吐出口３３との境い部分にダンパー８０を設け、このダンパー８０をモータ８１により補助吐出口３３を閉じる第１の位置と浴室側ダクト３２を閉じる第２の位置とに揺動自在としてある。
【００４６】
このようにすれば、浴室用のダンパ−３８と洗面所用の補助ダンパー４０を同一にできるから、構造が簡単となるし、制御も容易になる。
【００４７】
つまり、浴室暖房スイッチ７２、浴室乾燥スイッチ７３、涼風スイッチ７４をＯＮした時にダンパ−８０を第１の位置とし、洗面所暖房スイッチ７６をＯＮした時にダンパー８０を第２の位置とする。
【００４８】
【発明の効果】
請求項１に係る発明によれば、排気吸込口２６を開いて排気送風機１２を駆動することで、浴室１内の空気を吸込んで主排気口４２より外部に排出できるから、浴室１内を換気できる。
循環吐出口２５を開いて循環送風機１１を駆動すると共に、ヒータ３６を発熱することで、浴室１内の空気を吸込んでヒータ３６で加温して浴室１内に吹き出しできるから、浴室１内を暖房できる。
排気吸込口２６を開いて排気送風機１２を駆動することで、浴室１内の空気を吸込んで主排気口４２より外部に排出し、循環吐出口２５を開いて循環送風機１１を駆動すると共に、ヒータ３６を発熱することで、浴室１内の空気を吸込んでヒータ３６で加温して浴室１内に吹き出すことにより、浴室内を加温しながら浴室内の高湿度となって空気を外部に排出して浴室内を効率良く乾燥できる。
排気吸込口２６を開いて排気送風機１２を駆動することで、浴室１内の空気を吸込んで主排気口４２より外部に排出し、循環吐出口２５を開いて循環送風機１１を駆動すると共に、ヒータ３６を発熱させないことで、浴室１内の空気を吸込んで浴室１内に吹き出すことで、換気をしながら浴室内に空気を循環して浴室内に涼風を送り込むことができ、夏季の浴室内を浴室内を浴室内使用者にとって快適な状態とすることができる。
１つの補助吸込口を開いて排気送風機１２を駆動することで浴室１外の空気を吸込んで外部に排出できるし、補助吐出口３３を開いて循環送風機１１を駆動すると共に、ヒータ３６を発熱させることで浴室１内の空気を吸込んでヒータ３６で加温して浴室外に吹き出しできる。
したがって、本発明の浴室換気乾燥機によれば浴室内を換気、暖房、換気、浴室内に涼風を送り込むことができるし、浴室以外を換気したり、暖房できる。
また、建物外部に開口するダクトが１本となり、マンションの場合に建築構造の鉄骨を貫通するダクトが１本となるので鉄骨強度があまり低下しないばかりか、建築及び換気のための工事費が安価となる。
また、洗面所２、便所３を換気できるし、洗面所２を暖房できる。
【図面の簡単な説明】
【図１】建物の浴室、洗面所、便所部分の平面説明図である。
【図２】浴室換気乾燥機の斜視図である。
【図３】本体の分解斜視図である。
【図４】浴室換気乾燥機の横断面図である。
【図５】図４のＡ−Ａ断面図である。
【図６】図４のＢ−Ｂ断面図である。
【図７】操作盤の正面図である。
【図８】本発明の第２実施例を示す循環送風機部分の縦断面図である。
【符号の説明】
１…浴室、２…洗面所、３…便所、９…浴室換気乾燥機、１０…本体、１１…循環送風機、１２…排気送風機、１３…主排出ダクト、１４…補助排出ダクト、１５…第１補助吸込ダクト、１６…第２補助吸込ダクト、２４…循環吸込口、２５…循環吐出口、２６…排気吸込口、３３…補助吐出口、４２…主排気口、４３…第１補助吸込口、４４…第２補助吸込口。
【図１】
0003757366.tif 000003
【図２】
0003757366.tif 000004
【図３】
0003757366.tif 000005
【図４】
0003757366.tif 000006
【図５】
0003757366.tif 000007
【図６】
0003757366.tif 000008
【図７】
0003757366.tif 000009
【図８】
0003757366.tif 000010